(57)【要約】【課題】  複数の撮影された画像または画像データを鑑賞用に使える十分な大きさで一枚に表示した、整理が容易な画像プリント及びアルバムプリントを提供する。【解決手段】  フィルムカメラ、デジタルカメラ、ヒデオカメラなどのカメラ媒体で撮影された複数の画像または画像データ、及び所望により他の手段で作成された画像データを一枚の支持体上にプリントした画像プリントであって、撮影された画像または画像データがそれぞれ画像のピントや露出などの確認のために十分な大きさでプリントされていること、及び支持体が画像プリントを複数枚連結できるような手段を有することを特徴とする画像プリント。かかる画像プリントを複数枚連結させてアルバム状に整理したことを特徴とするアルバムプリント。【選択図】  図３
0003106145.tif 000002
【実用新案登録請求の範囲】
【請求項１】
フィルムカメラ、デジタルカメラ、ヒデオカメラなどのカメラ媒体で撮影された複数の画像または画像データ、及び所望により他の手段で作成された画像データを一枚の支持体上にプリントした画像プリントであって、撮影された画像または画像データがそれぞれ画像のピントや露出などの確認のために十分な大きさでプリントされていること、及び支持体が画像プリントを複数枚連結できるような手段を有することを特徴とする画像プリント。
【請求項２】
請求項１に記載の画像プリントを複数枚連結させてアルバム状に整理したことを特徴とするアルバムプリント。
【請求項３】
画像プリント上の画像または画像データを記録したＣＤ，ＤＶＤなどの記憶媒体を、画像プリントとの連結手段を有する柔軟な収納物に入れ、この収納物を画像プリントとともに連結させて整理したことを特徴とする請求項２に記載のアルバムプリント。
【考案の詳細な説明】
【技術分野】
【０００１】
本考案は、撮影された画像または画像データ、及び所望により他の手段で作成された画像データをプリントした画像プリント、及びこの画像プリントを複数枚連結させてアルバム状に整理したアルバムプリントに関する。
【背景技術】
【０００２】
従来、フィルムカメラで撮影された画像は一般に現像所で一枚ずつ現像されて写真として提供されている。しかし、これらの写真を整理するためには、アルバムに一枚ずつレイアウトして貼り付ける必要があり、その作業は極めて煩わしかった。また写真を焼き増しする時には見にくい現像されたネガシートを見て必要な写真のコマＮｏ．を指定する必要があり、必要な写真の選別が極めて困難であった。
【０００３】
一方、最近では、フィルムカメラ以外にデジタルカメラが普及し、フィルム代等のコストをかけずに誰もが簡単に写真を楽しめるようになっている。そのため、デジタルカメラのシャッターを押す回数（撮影枚数）はフィルムカメラの約４倍にもなり、その撮影された多量の画像データは整理されずにパソコンのハードディスクに入れられたまま放置されていることが多い。また、これらの画像データをパソコンのモニタで選別することは意外と困難である。さらに、画像データを家庭用プリンターで所望のフォーマットで印刷することもできるが、コストと手間が膨大であり、画像品質面でも問題があった。
【０００４】
これらの問題に対して焼き増しの判別を容易にするために、図１に記載のような小型の一覧性のあるインデックスプリントが使用されている。インデックスプリントは、通常Ｌ版（８９ｍｍ×１２７ｍｍ）の写真サイズ１枚に現像に出したフィルムの枚数分の写真を割り当てネガフィルムを見ずに絵柄の確認ができるものであり、焼き増しの選別や整理に有用なものである。しかし、このインデックスプリントは、各写真が絵柄の確認や選別に使える程度の大きさしかなく、鑑賞用に使えるものではなかった。また、インデックスプリントは通常の１枚プリントであるため、整理のためには別途クリアファイルを購入して収納するかまたはアルバムに貼るなどの手間がかかった。
【考案の開示】
【考案が解決しようとする課題】
【０００５】
本考案は、かかる従来の現状に鑑み創案されたものであり、その目的は複数の撮影された画像または画像データを所持者の嗜好に合わせて鑑賞用に使える十分な大きさとデザインで一枚に表示した、整理が容易で安価な画像プリント、及びその画像プリントを複数枚連結させてアルバム状に整理したアルバムプリントを提供することにある。
【課題を解決するための手段】
【０００６】
本考案者は、上記課題を解決すべく、画像の表示及び整理方法などについて鋭意検討した結果、撮影された画像または画像データを一枚ずつプリントするのではなく、複数の画像または画像データをそれぞれ鑑賞に耐えうる大きさで通常のＬ版より大きいサイズの支持体上にプリントし、支持体に連結手段を設けることによって、その画像プリントを簡単にアルバム状に連結させて整理できることを見出し、本考案の完成に至った。
【０００７】
即ち、本考案は、フィルムカメラ、デジタルカメラ、ヒデオカメラなどのカメラ媒体で撮影された複数の画像または画像データ、及び所望により他の手段で作成された画像データを一枚の支持体上にプリントした画像プリントであって、撮影された画像または画像データがそれぞれ画像のピントや露出などの確認のために十分な大きさでプリントされていること、及び支持体が画像プリントを複数枚連結できるような手段を有することを特徴とする画像プリントである。
【０００８】
また、本考案は、上記画像プリントを複数枚連結させてアルバム状に整理したことを特徴とするアルバムプリントである。本考案のアルバムプリントの好ましい態様では、画像プリント上の画像または画像データを記録したＣＤ，ＤＶＤなどの記憶媒体を、画像プリントとの連結手段を有する柔軟な収納物に入れ、この収納物を画像プリントとともに連結させて整理したことを特徴とする。
【考案の効果】
【０００９】
本考案の画像プリントは、従来の一枚あたり一つの画像をプリントしたものに比べると余計なコストや手間をかけずに撮影した複数の画像をプリントした段階でそのままアルバム状に整理することができる。また、市販の定型のまたは好みの大きさのファイルやバインダーで容易にファイルして整理でき、持ち運びも簡単である。さらに、画像プリントのサイズ、画像プリント一枚あたりの画像の枚数・大きさ、画像プリントの背景の色・デザインを自由に選択でき、所持者の嗜好を大きく反映できる。
【考案を実施するための最良の形態】
【００１０】
以下、本考案の一例について図面を用いて説明するが、本考案はこれらに限定されるものではない。
【００１１】
図２は本考案の画像プリントの一例の概略図を示す。図２の画像プリントはフィルムカメラ、デジタルカメラ、ビデオカメラなどのカメラ媒体で撮影された複数（図２では八つ）の画像または画像データを支持体にプリント（印刷または現像）したものである。図２の画像プリントに掲載されている各画像は従来のインデックスプリントのものよりかなり大きいものであり、撮影された画像のピントや露出などの確認のために十分な大きさを有し、鑑賞用に十分耐えうるものである。
【００１２】
本考案の画像プリントには、撮影された画像または画像データ以外に、もし希望するなら他の手段で作成されたイラスト、キャラクター、文字情報などの画像データも一緒にプリントすることができる。本考案の画像プリントの大きさは、撮影された複数の画像または画像データがそれぞれ鑑賞に耐えうる大きさで配置されていることが必要であり、例えばＡ４，Ａ５，Ｂ５，Ｂ６などの様々な定型フォーマットサイズを採用することができる。因みに、図２の画像プリントは２０３ｍｍ×２９７ｍｍのサイズを有し、各画像は約６ｃｍ×８ｃｍのサイズを有する。
【００１３】
本考案の画像プリントは、支持体が画像プリントを複数枚連結できるような手段、例えば図２の画像プリントの左端に見られるようなファイルリング用の穴やバインダーで閉じるための加工を有する。図２の画像プリントでは、このファイリング用の穴にリングを通して連結し、複数枚の画像プリントをアルバム状に整理できるようになっている。
【００１４】
本考案の画像プリントは、このように複数枚連結させてアルバム状に整理してアルバムプリントを作ることができるが、この際、図３のように画像プリント上の画像または画像データを記録した記憶媒体（図３ではＣＤ）を柔軟な収納物に入れてアルバムプリントに連結させ、画像記録媒体を同じアルバムプリント内に収納することができる。このように画像の記憶媒体をプリントした画像とともにアルバム状に整理することにより後で必要な画像を複製または加工することが極めて容易である。
【００１５】
本考案の画像プリントで使用される画像または画像データは、いずれも従来公知のカメラ媒体またはコンピュータによる加工で得られるものであり、従来公知の様々な形態のものが使用できる。また、画像または画像データの支持体へのプリント方法、画像プリントや記憶媒体収納物の連結方法も従来公知の方法を採用することができ、何ら制限されない。
【図面の簡単な説明】
【００１６】
【図１】インデックスプリントの一例を示す。
【図２】本考案の画像プリントの一例を示す。
【図３】本考案の画像プリントとそれを記憶した記憶媒体をアルバム状に連結させたアルバムプリントの一例を示す。
【図１】
0003106145.tif 000003
【図２】
0003106145.tif 000004
【図３】
0003106145.tif 000005